(57)【要約】【課題】  取引処理実施時に、暗証番号をキーボード等で入力する時に、後方及び横から利用者以外の人に後方から覗かれてしまい、セキュリティ上、問題となる。【解決手段】  本発明による現金自動取引装置において、利用者が取引処理実行時、暗証番号入力ボタンを有し、暗証番号入力ボタンの押下する回数により、暗証番号の数字が変わり、また、日にちにより暗証番号ボタンの押下回数が変わることで、後方及び横から覗かれた場合でも、暗証番号を盗み見されても暗証番号が分からないので、セキュリティを確保することができる。【選択図】図１
2014006827.tif 000002
【特許請求の範囲】
【請求項１】
利用者の操作に応じて取引を行なう現金自動取引装置であって、
利用者がその所定の位置を押下することによって暗証番号を入力する入力手段を有し、  前記入力手段は、一桁毎に予め定めた押下回数によって暗証番号を決定することを特徴とする自動取引装置。
【請求項２】
請求項１に記載の自動取引装置であって、
前記入力手段は、暗証番号入力時に利用者によって押下される度に所定のマークを表示し、押下回数に応じた個数の前記所定のマークを表示することを特徴とする自動取引装置。
【請求項３】
請求項１又は２に記載の自動取引装置であって、
暗証番号入力時における前記入力手段への押下回数と暗証番号の数値との対応は、利用者毎に個別に定めれていることを特徴とする自動取引装置。
【請求項４】
請求項３に記載の自動取引装置であって、
センタに記憶された、前記押下回数と暗証番号の数値との対応が記録された対応表へアクセスすることによって利用者毎の暗証番号入力を認識する自動取引装置。
【請求項５】
請求項４に記載の自動取引装置であって、
前記対応表は取引の日時によってその内容を変更することを特徴とする自動取引装置。
【発明の詳細な説明】
【技術分野】
【０００１】
本発明は、銀行や金融機関等の自動取引装置（ＡＴＭ）における暗証番号入力に関するものである。
【背景技術】
【０００２】
銀行や金融機関等の自動取引装置（ＡＴＭ）では、磁気またはＩＣチップに情報が記録されたキャッシュカードを用いて各種取引を行う。利用者は様々な取引を実施するにあたり、キャッシュカードを挿入すると共に暗証番号を入力することで本人であることが認証され取引を行うことができる。
【０００３】
利用者が暗証番号の入力操作時に、悪意者によってその操作を見られて暗証番号が知られると、後に何らかの手段でその利用者のキャッシュカードを搾取された場合にＡＴＭから容易に現金が不正に出金されてしまう。そこで従来より正規の利用者による暗証番号入力時に、悪意者による覗き見等を防止する手段が各種提案されている。
【０００４】
例えば、特開平５−１５１２４４号公報（特許文献１）には、特別な暗証番号入力用の特定画面を設けず、金額入力画面等一連の取引で使用する画面の一部に暗証番号入力エリアを常に設けておき、このエリアの暗証番号入力を常時可能とする処理プログラムを作成し、他のデータ入力と暗証番号入力を同時に実行可能とすることにより、利用者以外には暗証番号が判り難くする技術が記載されている。
【先行技術文献】
【特許文献】
【０００５】
【特許文献１】特開平５−１５１２４４号公報
【発明の概要】
【発明が解決しようとする課題】
【０００６】
上述のような盗み見防止策を施したとしても、暗証番号をキー入力する際に後方および横から覗かれると、やはり暗証番号を盗まれる可能性は払拭できず、セキュリティ上、充分といえるものではなかった。
【０００７】
本発明の目的は、上記問題を解決し、利用者が取引操作時に暗証番号を入力する時に、暗証番号入力ボタンの押下回数により、暗証番号を決定し、日にちにより、暗証番号入力ボタンの押下回数を変えることで、他人から後方および横から覗かれ、指の動きで暗証番号を盗まれ、犯罪の誘発を防止することを目的にしたセキュリティ性を確保することが可能な技術を提供することにある。
【課題を解決するための手段】
【０００８】
この発明の現金自動取引装置は、利用者の操作に応じて取引を行なうものにおいて、利用者により情報が入力される情報入力手段と、この入力操作に応じて取引内容等の情報を表示する表示手段と、本人と銀行口座を特定するために必要な磁気またはＩＣのカードを読み込む手段を有し、取引をするにあたり、暗証番号の入力により本人であることが認証されるが、暗証番号を入力するときに、暗証番号を決定するための暗証番号入力ボタンを有する。
【０００９】
各桁ごとに個人で決められた暗証番号である数字となるように、暗証番号入力ボタンを決められた回数押下し、取引を開始した際に取引内容を表示する顧客操作部の情報表示部に、暗証番号入力ボタンを押下した回数をアスタリスクで表示する制御機能を有する。
【００１０】
これにより、押下した回数を間違えないようにすることが可能となる。また、日にちにより、暗証番号に対する暗証番号入力ボタンの押下回数を変える制御プログラムを有する。よって、利用者に、カードを作成する際、暗証番号を決めて頂き、日にちによる暗証番号入力押下回数一覧表を配布し、無くさないようにしてもらう。
【発明の効果】
【００１１】
本発明によれば、利用者が暗証番号を入力する際に悪意者により後方から覗かれても、暗証番号を盗み取られる危険性を低減してセキュリティを確保することができる。
【図面の簡単な説明】
【００１２】
【図１】現金自動取引装置の外観図
【図２】現金自動取引装置の制御回路ブロック図
【図３】取引選択画面の一例を示す図
【図４】現金自動取引装置の顧客操作部の表示内容を示す図
【図５】本発明における現金自動取引装置の動作処理フロー図
【図６】暗証番号入力ボタンの押下回数対応表の一例
【発明を実施するための形態】
【実施例１】
【００１３】
以下、図面を用いて本発明の実施形態の一例を説明する。図１は本発明の自動取引装置（ＡＴＭ）１の外観を示すものである。現金自動取引装置１には、利用者へ取引操作を表示案内するタッチパネル兼用の顧客操作部５と、利用者が押した回数に基づいて暗証番号の各桁の数値を決定する暗証番号入力カウント部６と、通帳挿入口２と、紙幣入出金口３と、カード挿入口及び明細票出口４を備えており、入出金、通帳記入、振込み、残高照会等の取引を行うことができる。
【００１４】
図２は本発明における現金自動取引装置１の機能ブロック図である。この現金自動取引装置１の制御部１４は、情報入力部５ａ及び情報表示部５ｂとからなる顧客操作部５と、暗証番号入力カウント部６と、暗証番号入力部７と、カレンダ部８と、タイマー部９と、記憶部１０と、明細票出力部４ａと、磁気カード部４ｂと、通帳処理部２と、紙幣処理部３と、音声ガイダンス部１１と、スピーカ１２と、電源部１３とを接続しており、インタフェース制御部１５を介してセンタシステム１６と交信して利用者情報や各種取引のための情報を送受信して取引処理が実施される。
【００１５】
図３、図４は顧客操作部５に表示される画面の一例であり、図３は取引開始時の取引選択画面、図４は暗証番号入力画面である。なお、図４の暗証番号入力画面は図３に示す取引選択画面にある取引項目の「お引出し」キー１７を選択すると表示される。
【００１６】
顧客操作部５は、暗証番号を決定するための暗証番号入力ボタン（暗証番号入力カウント部）６が４個と、各桁の暗証番号が確定した時に、アスタリスク（＊）を表示する暗証番号表示エリア２２と、利用者が利用する日に対応し、暗証番号に対する回数を暗証番号入力ボタン６により押下され、間違いが無い場合押下する「ＯＫ」キー２３と、利用者が利用する日付を表示している、日付表示エリア２４と、暗証番号入力ボタン６により、押下された回数をアスタリスク（＊）の表示個数で示すボタン入力表示エリア２５と、暗証番号入力ボタン６を押下した回数を間違えた時に押下する「取消」キー２６を表示している。
【００１７】
このように構成された現金自動取引装置１の処理動作を，ここでは、お引出し処理（出金取引）を例に、図５のフローチャートを参照して説明する。
【００１８】
図３に示す取引選択画面において、取引項目の中の「お引出し」キー１７を押下する（ステップＳ１）。次に、カード挿入画面が表示され、利用者のカードを挿入して、磁気カード部４ｂによりカードの読取を行う（ステップＳ２）。カード利用者本人であることを確認するために、インタフェース制御部１５を介し、センタシステムと通信をする（ステップＳ３）。暗証番号入力画面に遷移し（ステップＳ４）、今日が何日かをカレンダ部８より確認して、日にちの下１桁目が何かを判断する。ここでは、“０”とする（ステップＳ５）。
【００１９】
暗証番号入力ボタン６により、暗証番号の１桁目を押下する（ステップＳ６）。暗証番号入力ボタン７によりボタン入力された時に、タイマー部９によりタイマーが起動する（ステップＳ７）。タイマー時間として本実施例では５秒間がセットさせており（ステップＳ８）、５秒経過した時に暗証番号入力ボタン６が何も押下されていない場合、再度暗証番号入力ボタン６により暗証番号の１桁目を押下する。
【００２０】
もしここでボタン入力があった場合、また、タイマー起動してから５秒経過していない場合（ステップＳ９）、暗証番号入力カウント部６より、ボタン入力回数をカウント始め（ステップＳ１０）、ボタン入力回数が間違ったと利用者が気付いたとき、「取消」キー２６を押下して、暗証番号１桁目入力開始ステップに戻る（ステップＳ１２）。
【００２１】
暗証番号入力ボタン６により押下したボタン入力回数が正しい時（ステップＳ１１）は、ボタン入力確定とし（ステップＳ１３）、「ＯＫ」キー２３を押下する。そして、暗証番号入力ボタン７による押下した回数により、暗証番号の数字を確定する（ステップＳ１４）。
【００２２】
次に暗証番号入力ボタン６の２桁目を押下する（ステップＳ１５）。暗証番号入力ボタン６によりボタン入力された時に、タイマー部９により、タイマーが起動する（ステップＳ１６）。タイマー時間が５秒間セットさせており（ステップＳ１７）、５秒経過した時に暗証番号入力ボタン６が何も押下されていない場合、再度暗証番号入力ボタン７により暗証番号の１桁目を押下する。
【００２３】
もしここでボタン入力があった場合、また、タイマー起動してから５秒経過していない場合（ステップＳ１８）、暗証番号入力カウント部６より、ボタン入力回数をカウント始め（ステップＳ１９）、ボタン入力回数が間違ったと利用者が気付いたとき、「取消」キー２６を押下して、暗証番号１桁目入力開始ステップに戻る（ステップＳ２１）。暗証番号入力ボタン７により押下したボタン入力回数が正しい時（ステップＳ２０）は、ボタン入力確定とし（ステップＳ２２）、「ＯＫ」キー２３を押下する。そして、暗証番号入力ボタン７による押下した回数により、暗証番号の数字を確定する（ステップＳ２３）。
【００２４】
次に暗証番号入力ボタン６の３桁目を押下する（ステップＳ２４4）。暗証番号入力ボタン６によりボタン入力された時に、タイマー部9により、タイマーが起動し（ステップＳ２５）する。タイマー時間が５秒間セットさせており（ステップＳ２６）、５秒経過した時に暗証番号入力ボタン６が何も押下されていない場合、再度暗証番号入力ボタン６により暗証番号の１桁目を押下する。
【００２５】
もしここでボタン入力があった場合、また、タイマー起動してから５秒経過していない場合（ステップＳ２７）、暗証番号入力カウント部６より、ボタン入力回数をカウント始め（ステップＳ２８）、ボタン入力回数が間違ったと利用者が気付いたとき、「取消」キー26を押下して、暗証番号１桁目入力開始ステップに戻る（ステップＳ３０）。
【００２６】
暗証番号入力ボタン６により押下したボタン入力回数が正しい時（ステップＳ２９）は、ボタン入力確定とし（ステップＳ３１）、「ＯＫ」キー２３を押下する。そして、暗証番号入力ボタン７による押下した回数により、暗証番号の数字を確定する（ステップＳ３２）。
【００２７】
次に暗証番号入力ボタン７の４桁目を押下する（ステップＳ３３）。暗証番号入力ボタン７によりボタン入力された時に、タイマー部９によりタイマーが起動する（ステップＳ３４）。タイマー時間が５秒間セットさせており（ステップＳ３５）、５秒経過した時に暗証番号入力ボタン６が何も押下されていない場合、再度暗証番号入力ボタン７により暗証番号の１桁目を押下する。もしここでボタン入力があった場合、また、タイマー起動してから５秒経過していない場合（ステップＳ３６）、暗証番号入力カウント部６より、ボタン入力回数をカウント始め（ステップＳ３７）、ボタン入力回数が間違ったと利用者が気付いたとき、「取消」キー２６を押下して、暗証番号１桁目入力開始ステップに戻る（ステップＳ３９）。
【００２８】
暗証番号入力ボタン６により押下したボタン入力回数が正しい時（ステップＳ３８）は、ボタン入力確定とし（ステップＳ４０）、「ＯＫ」キー２３を押下する。そして、暗証番号入力ボタン７による押下した回数により、暗証番号の数字を確定する（ステップＳ４１）。
【００２９】
全ての暗証番号の入力が完了したとき、センタシステム１６と通信を行い、サーバに記憶されている利用者の暗証番号と照らし合わせあっているかどうか確認する（ステップＳ４３）。もし、間違っていた場合、スピーカ１２より「暗証番号が間違っております。」と音声ガイダンスが出力され、暗証番号を再入力する。
【００３０】
利用者本人であることの確認が出来た時は、お引き出し金額入力画面に遷移し、お引き出し金額を入力する（ステップＳ４４）。そして、お引き出し金額が正しいかどうか確認し（ステップＳ４５）、正しい場合、「確認」キーを押下した後、カード受取画面に推移し、明細票出口/カード出入口４よりカードを取る(ステップＳ４６)。
【００３１】
その後、明細票受取画面に推移して、明細票出口／カード出入口４から明細票出力部４ａより取引内容等を印字した明細票が出力され、その明細票を受取る。次に、紙幣処理部３により必要金額を出力する処理がなされ、出力された紙幣を紙幣入出金口３から受取る（ステップＳ４７）。
【００３２】
ここで、利用者の暗証番号に対応する、暗証番号入力ボタン６の押下回数について説明する。図６は、利用者が利用する日にちの下１桁目の数字に対し、暗証番号入力ボタン６の押下する回数の暗証番号を決定する一覧表である。この暗証番号を決定する一覧表は、各利用者が口座開設時に配布されており、利用者がその一覧表に基づいて、暗証番号を決定する。例えば、ここでは、利用者が利用する日が２月１０日とすると、下１桁目の数字が０であるので利用者の暗証番号が、例えば「１、２、３、４」である場合、暗証番号入力ボタン６の押下回数は、１桁目が１回、２桁目は３回、３桁目は４回、４桁目は８回となる。
【００３３】
この各利用者の一覧表は、センタにあるサーバに記憶されており、磁気カードを読み込んだ時にセンタと通信し、制御部１４にある制御プログラムにより、暗証番号を暗証番号入力ボタン６の押下回数により決定される。
【００３４】
以上のことにより、暗証番号を後方または横から覗かれることにより、犯罪を誘発してしまうような問題を未然に防ぎ、セキュリティ性を確保する。
【符号の説明】
【００３５】
１・・・現金自動取引装置、２・・・通帳出入口、３・・・紙幣入出金口、４・・・明細票出口/カード出入口、５・・・顧客操作部、６・・・暗証番号入力カウント部（暗証番号入力ボタン）
７・・・暗証番号入力部、８・・カレンダ部、９・・・タイマー部、１０・・・記憶部、１１・・・音声ガイダンス部、１２・・・スピーカ、１３・・・電源部、１４・・・制御部、１５・・・インタフェース制御部、１６・・・センタシステム
【図１】
2014006827.tif 000003
【図２】
2014006827.tif 000004
【図３】
2014006827.tif 000005
【図４】
2014006827.tif 000006
【図５】
2014006827.tif 000007
【図６】
2014006827.tif 000008